(57)【特許請求の範囲】
【請求項１】
映像信号を含む信号を受信装置に送信する送信装置であって、
前記受信装置が保有している処理可能な映像仕様に関する情報を読み取り、前記受信装置が処理可能な前記映像信号を送信するように制御を行う制御部と、
前記映像信号をベースバンド映像データとして送信する送信部とを備えており、
前記映像信号が所定以上の複数フレームに亘って同じ映像を示す信号である場合に、
前記制御部は、前記映像仕様に関する情報から、前記受信装置が任意数のフレームが間欠したタイミングで前記映像信号を受信する間欠受信が可能であるか否かを示す第１の情報を読み取り、前記受信装置が前記間欠受信が可能である場合に、前記送信部が送信する前記映像信号が有効であることを示すイネーブル信号と、次に送信する映像が準備できるまで次の前記映像信号を送信しないことを示す第２の情報とを、前記送信部が送信する前記映像信号のブランキング期間に前記映像信号に多重する制御を行い、
前記送信部は、前記映像信号を送信した後に、次に送信する映像が準備できるまで前記映像信号を送信しないことを特徴とする送信装置。
【請求項２】
前記送信部は、前記映像信号を送信した後に、次に送信する映像が準備できるまで少なくとも前記映像信号を送信しないことを特徴とする請求項１に記載の送信装置。
【請求項３】
前記送信部は前記映像信号を送信する場合にクロックを送信し、
前記送信部が少なくとも前記映像信号を送信しない間は前記クロックの送信動作を停止することを特徴とする請求項２に記載の送信装置。
【請求項４】
前記送信部は、前記映像信号を送信した後に、次に送信する映像が準備できるまで前記映像信号の伝送路に無効データを送信することを特徴とする請求項１に記載の送信装置。
【請求項５】
前記送信部は前記映像信号を送信する場合にクロックを送信し、
前記送信部が前記無効データを送信するときにも前記クロックを送信することを特徴とする請求項４に記載の送信装置。
【請求項６】
映像信号を含む信号を受信する受信装置であって、
任意数のフレームが間欠したタイミングで前記映像信号を受信する間欠受信が可能であるか否かを示す第１の情報を含む処理可能な映像仕様に関する情報を記憶する記憶部と、
ベースバンド映像データからなる映像信号を含む信号を受信する受信部と、
前記受信部によって受信した前記映像信号が書き込まれるフレームメモリと、
前記受信部から前記フレームメモリに前記映像信号を書き込む第１のタイミングと、前記フレームメモリから前記映像信号を読み出す第２のタイミングと、を生成する同期信号発生部とを備えており、
前記受信部は、受信した前記映像信号のブランキング期間に、受信した前記映像信号が有効であることを示すイネーブル信号と、次に送信する映像が準備できるまで次の前記映像信号が送信されないことを示す第２の情報とが重畳されている場合に、前記イネーブル信号及び前記第２の情報を受信したことを示す情報を前記同期信号発生部に出力し、
前記同期信号発生部は、前記イネーブル信号及び前記第２の情報を受信したことを示す情報を前記受信部から受信するまで前記フレームメモリへの前記映像信号の書込み更新を行わないように前記第１のタイミングを生成することを特徴とする受信装置。
【請求項７】
映像信号を含む信号を送信する送信装置と、前記映像信号を含む信号を受信する受信装置とを備える送受信システムであって、
前記送信装置は、
前記受信装置が保有している処理可能な映像仕様に関する情報を読み取り、前記受信装置が処理可能な前記映像信号を送信するように制御を行う制御部と、
前記映像信号をベースバンド映像データとして送信する送信部とを備えており、
前記映像信号が所定以上の複数フレームに亘って同じ映像を示す信号である場合に、
前記制御部は、前記映像仕様に関する情報から、前記受信装置が任意数のフレームが間欠したタイミングで前記映像信号を受信する間欠受信が可能であるか否かを示す第１の情報を読み取り、前記受信装置が前記間欠受信が可能である場合に、前記送信部が送信する前記映像信号が有効であることを示すイネーブル信号と、次に送信する映像が準備できるまで次の前記映像信号を送信しないことを示す第２の情報とを、前記送信部が送信する前記映像信号のブランキング期間に前記映像信号に多重する制御を行い、
前記送信部は、前記映像信号を送信した後に、次に送信する映像が準備できるまで前記映像信号を送信せず、
前記受信装置は、
前記第１の情報を含む前記処理可能な映像仕様に関する情報を記憶する記憶部と、
前記送信装置から送信された前記映像信号を含む信号を受信する受信部と、
前記受信部によって受信した前記映像信号が書き込まれるフレームメモリと、
前記受信部から前記フレームメモリに前記映像信号を書き込む第１のタイミングと、前記フレームメモリから前記映像信号を読み出す第２のタイミングと、を生成する同期信号発生部とを備えており、
前記受信部は、受信した前記映像信号のブランキング期間に、受信した前記映像信号が有効であることを示すイネーブル信号と前記第２の情報とが重畳されている場合に、前記イネーブル信号及び前記第２の情報を受信したことを示す情報を前記同期信号発生部に出力し、
前記同期信号発生部は、前記イネーブル信号及び前記第２の情報を受信したことを示す情報を前記受信部から受信するまで前記フレームメモリへの前記映像信号の書込み更新を行わないように前記第１のタイミングを生成することを特徴とする送受信システム。
【発明の詳細な説明】
【技術分野】
【０００１】
本発明は少なくともベースバンド映像データの送受信が可能なベースバンド映像データ送受信システムに関する。より詳しくは、低消費電力で映像データを送受信可能なベースバンド映像音声データ送受信システムと、当該システムを構成する送信装置および受信装置とに関する。
【背景技術】
【０００２】
近年、ベースバンド映像音声データ送受信システムの為の規格としてＨＤＭＩ（登録商標、以下同様）規格が知られている。ベースバンドとは非圧縮を意味する。
【０００３】
ＨＤＭＩ規格では３つのチャンネルを用いて、映像データを伝送している。さらに各映像データに音声データまたは制御に用いるデータを時間軸多重して伝送を行っている（例えば非特許文献１、非特許文献２参照）。
【０００４】
図９に、ＨＤＭＩ規格に準拠した構成を備える送受信システム１０１の構成を示す。送受信システム１０１は、送信装置１０２および受信装置１０３を備えている。送信装置１０２としてはデジタルカメラ、ビデオカメラ、ＤＶＤプレーヤなどが、また、受信装置１０３としてはテレビ受像器、モニタなどが該当する。
【０００５】
送信装置１０２はソース機器であり、マイクロコンピュータ１０２ａ、映像出力回路１０２ｂ、ＴＭＤＳ出力回路１０２ｃ、および、トランスミッタ１０２ｄを備えている。受信装置１０３はシンク機器であり、情報記憶部１０３ａ、ＴＭＤＳ入力回路１０３ｂ、フレームメモリ１０３ｃ、および、同期信号発生回路１０３ｄを備えている。
【０００６】
送信装置１０２においては、マイクロコンピュータ１０２ａが受信装置１０３のＲＯＭで構成される情報記憶部１０３ａに格納されたＥＤＩＤ（Ｅｘｔｅｎｄｅｄ  Ｄｉｓｐｌａｙ  Ｉｄｅｎｔｉｆｉｃａｔｉｏｎ  Ｄａｔａ）を、ＤＤＣ（Ｄｉｓｐｌａｙ  Ｄａｔａ  Ｃｈａｎｎｅｌ）を介して読み込み、受信装置１０３がＨＤＭＩ規格のどのような仕様に対応しているのかを確認している。ＥＤＩＤには、例えば受信装置１０３が表示することができるビデオフォーマットが記載されている。このビデオフォーマットはＶＩＣ（Ｖｉｄｅｏ  Ｉｄｅｎｔｉｆｉｃａｔｉｏｎ  Ｃｏｄｅ：ビデオ識別コード）によって特定される（詳細は非特許文献２を参照）。ビデオフォーマットには解像度やフィールドレートが含まれる。
【０００７】
また、マイクロコンピュータ１０２ａは機器内の信号処理制御を行っており、例えば映像出力回路１０２ｂに機器内部に備えられた記録媒体から記録データを読み出してメモリ上に映像データや音声データを展開する制御を行う。マイクロコンピュータ１０２ａは受信装置１０３からＥＤＩＤを受けとった後に、デジタルビデオ信号を生成する。また、当該デジタルビデオ信号のビデオフォーマットを特定するＶＩＣを生成する。当該ＶＩＣはＡＶＩ  ＩｎｆｏＦｒａｍｅというパケットで伝送される。
【０００８】
ＴＭＤＳ出力回路１０２ｃは映像出力回路１０２ｂから出力される非圧縮データを伝送チャネルごとのデータに組み換え、エンコードおよびパラレルシリアル変換を行う。トランスミッタ１０２ｄはＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）方式により、シリアルデータを伝送路に出力する。
【０００９】
ＴＭＤＳ伝送路においては、３つのデータチャネル（ＤＡＴＡ０、ＤＡＴＡ１、ＤＡＴＡ２）および１つのクロックチャネルが用いられる。各データチャネルでは、Ｒデータ，Ｇデータ，Ｂデータのいずれか、あるいは、Ｙデータ，Ｃｂデータ，Ｃｒデータのいずれかの映像データ、音声データ、および、制御データがトランスミッタ１０２ｄにより差動信号に変換されて伝送される。差動信号とは、１信号のＨｉ／Ｌｏを２信号の電圧差で表現する信号である。映像データは表示期間に割り当てられてラスタスキャンデータとして伝送される。音声データおよび制御データは垂直ブランキング期間および水平ブランキング期間からなるブランキング期間に割り当てられてパケットデータとして伝送される。制御データはＡＶＩ  ＩｎｆｏＦｒａｍｅパケットとして伝送される。
【００１０】
受信装置１０３においては、ＴＭＤＳ入力回路１０３ｂが、図示しないレシーバによりＴＭＤＳデータおよびクロックを受信してシリアルパラレル変換を行った後に各データのデコードを行う。デコードされた映像データは、伝送されたクロックとＡＶＩ  ＩｎｆｏＦｒａｍｅパケットの解析結果を基に、同期信号発生回路１０３ｄが発生したピクセルクロックとＨ、Ｖの同期信号と共に、出力される。ＴＭＤＳ入力回路１０３ｂでデコードされた音声データは、音声出力に用いられる。
【先行技術文献】
【非特許文献】
【００１１】
【非特許文献１】Ｈｉｇｈ−Ｄｅｆｉｎｉｔｉｏｎ  Ｍｕｌｔｉｍｅｄｉａ  Ｉｎｔｅｒｆａｃｅ  Ｓｐｅｃｉｆｉｃａｔｉｏｎ  Ｖｅｒｓｉｏｎ  １．３ａ（Ｎｏｖ  ８  ２００６，  ＨＤＭＩ  Ｌｉｃｅｎｓｉｎｇ，  ＬＬＣ）
【非特許文献２】ＣＥＡ−８６１−Ｄ（Ｊｕｌ  ２００６，  Ｃｏｎｓｕｍｅｒ  Ｅｌｅｃｔｒｏｎｉｃｓ  Ａｓｓｏｃｉａｔｉｏｎ）
【発明の概要】
【発明が解決しようとする課題】
【００１２】
しかしながら、上記従来の技術に従えば、静止画を送信する際にも同じ映像のフレームを送り続けることになる。ＴＭＤＳ方式の伝送では、１のデータと０のデータとで正負の電流がツイストペアケーブル内を入れ替わるように流れるようにしてＮＲＺ（Ｎｏｎ  Ｒｅｔｕｒｎ  ｔｏ  Ｚｅｒｏ）方式の交流伝送を行う。
【００１３】
図１０に示すように、トランスミッタＴｘでは、オープンドレインの２つの出力端子が、データＤのときとデータ／Ｄのときとで入れ替わりＯＮ状態となる。電流源Ｉから出力される電流が、データＤのときとデータ／Ｄのときとで、特性インピーダンスＺ０の伝送路を介してレシーバＲｘの差動入力に接続された２つの終端抵抗ＲＴのいずれを流れるかが異なり、差動入力電圧の正負が入れ替わるようになっている。２つの終端抵抗ＲＴは基準電圧ＡＶｃｃに接続されている。
【００１４】
このように、ＴＭＤＳ方式の伝送では、各データが送受信されるごとに差動信号のスイングが発生する。しかも、ＴＭＤＳでは伝送特性を考慮して８ビットの映像信号をＴＭＤＳエンコーダにおいて１０ビットに変換するため、当該スイングの回数は非常に多くなる。従って、静止画表示において同じ映像のフレームを送り続ける間に多数回の１と０との変化が繰り返し起こり、トランスミッタおよびレシーバの動作による無駄な消費電力およびケーブルの充放電に伴う電力損失が発生することになる。
【００１５】
また、同じ画像を繰り返し送受信している間は、送受信データのエンコーダやデコーダも同じ動作を繰り返しており、無駄な消費電力を増加させる。
【００１６】
近年、上記のＨＤＭＩに代表されるデジタルインターフェースがデジタルカメラやスマートフォンなどの携帯機器に搭載されて高精細の映像を表示できるようになってきた。しかし携帯機器は電池で駆動しているため、連続的な映像表示のための出力を行っていると、上述のように無駄な電力消費を伴って電源が早く消耗してしまう。
【００１７】
以上のように、ベースバンド映像データの伝送を行う場合は、送受信を実際に行う物理インターフェースの消費電力が問題となる。
【００１８】
本発明では、従来のＨＤＭＩ規格に親和性の高い形態であり、かつ、より消費電力を低減させるベースバンド映像データの送信装置および受信装置ならびに送受信システムを提供することを目的とする。
【課題を解決するための手段】
【００１９】
本発明の送信装置は、映像信号を含む信号を受信装置に送信する送信装置であって、前記受信装置が保有している処理可能な映像仕様に関する情報を読み取り、前記受信装置が処理可能な前記映像信号を送信するように制御を行う制御部と、前記映像信号をベースバンド映像データとして送信する送信部とを備えており、前記映像信号が所定以上の複数フレームに亘って同じ映像を示す出力モードである場合に、前記制御部は、前記映像仕様に関する情報から、前記受信装置が任意数のフレームが間欠したタイミングで前記映像信号を受信する間欠受信が可能であるか否かを示す第１の情報を読み取り、前記受信装置が前記間欠受信が可能である場合に、今回の前記映像信号が有効であることを示すイネーブル信号と、前記映像信号が更新されるまで次の前記映像信号を送信しないことを示す第２の情報とを、更新される前記映像信号のブランキング期間に前記映像信号に多重する制御を行い、前記送信部は、更新される前記映像信号を送信した後に、前記映像信号が更新されるまで前記映像信号を送信しない。
【００２０】
本発明の送信装置は、前記送信部は、更新される前記映像信号を送信した後に、前記映像信号が更新されるまで少なくとも前記映像データの送信動作を停止してもよい。
【００２１】
本発明の送信装置は、前記送信部は前記映像データを送信する場合にクロックを送信し、前記送信部が少なくとも前記映像データの送信動作を停止する間はクロックの送信動作を停止してもよい。
【００２２】
本発明の送信装置は、前記送信部は、更新される前記映像信号を送信した後に、前記映像信号が更新されるまで前記映像データの伝送路に無効データを送信してもよい。
【００２３】
本発明の送信装置は、前記送信部は前記映像データを送信する場合にクロックを送信し、前記送信部が前記無効データを送信するときにも前記クロック送信してもよい。
【００２４】
本発明の受信装置は、映像信号を含む信号を受信する受信装置であって、任意数のフレームが間欠したタイミングで前記映像信号を受信する間欠受信が可能であるか否かを示す第１の情報を含む処理可能な映像仕様に関する情報を記憶する記憶部と、ベースバンド映像データからなる映像信号を含む信号を受信する受信部と、前記受信部によって受信した前記映像信号が書き込まれるフレームメモリと、前記受信部から前記フレームメモリに前記映像信号を書き込む第１のタイミングと、前記フレームメモリから前記映像信号を読み出す第２のタイミングと、を生成する同期信号発生部とを備えており、前記受信部は、受信した前記映像信号のブランキング期間に、今回の前記映像信号が有効であることを示すイネーブル信号と、前記映像信号が更新されるまで次の前記映像信号が送信されないことを示す第２の情報とが重畳されている場合に、前記間欠受信を行っていることを示す情報を前記同期信号発生部に出力し、前記同期信号発生部は、前記間欠受信を行っていることを示す情報に従って前記受信部が更新された前記映像信号を受信するまで前記フレームメモリへの前記映像信号の書込み更新を行わないように前記第１のタイミングを生成してもよい。
【００２５】
本発明の送受信システムは、映像信号を含む信号を送信する送信装置と、前記映像信号を含む信号を受信する受信装置とを備える送受信システムであって、前記送信装置は、前記受信装置が保有している処理可能な映像仕様に関する情報を読み取り、前記受信装置が処理可能な前記映像信号を送信するように制御を行う制御部と、前記映像信号をベースバンド映像データとして送信する送信部とを備えており、前記映像信号が所定以上の複数フレームに亘って同じ映像を示す出力モードである場合に、前記制御部は、前記映像仕様に関する情報から、前記受信装置が任意数のフレームが間欠したタイミングで前記映像信号を受信する間欠受信が可能であるか否かを示す第１の情報を読み取り、前記受信装置が前記間欠受信が可能である場合に、今回の前記映像信号が有効であることを示すイネーブル信号と、前記映像信号が更新されるまで次の前記映像信号を送信しないことを示す第２の情報とを、更新される前記映像信号のブランキング期間に前記映像信号に多重する制御を行い、前記送信部は、更新される前記映像信号を送信した後に、前記映像信号が更新されるまで前記映像信号を送信せず、前記受信装置は、前記第１の情報を含む前記処理可能な映像仕様に関する情報を記憶する記憶部と、前記送信装置から送信された前記映像信号を含む信号を受信する受信部と、前記受信部によって受信した前記映像信号が書き込まれるフレームメモリと、前記受信部から前記フレームメモリに前記映像信号を書き込む第１のタイミングと、前記フレームメモリから前記映像信号を読み出す第２のタイミングと、を生成する同期信号発生部とを備えており、前記受信部は、受信した前記映像信号のブランキング期間に、今回の前記映像信号が有効であることを示すイネーブル信号と前記第２の情報とが重畳されている場合に、前記間欠受信を行っていることを示す情報を前記同期信号発生部に出力し、前記同期信号発生部は、前記間欠受信を行っていることを示す情報に従って前記受信部が更新された前記映像信号を受信するまで前記フレームメモリへの前記映像信号の書込み更新を行わないように前記第１のタイミングを生成してもよい。
【発明の効果】
【００２６】
本発明のベースバンド映像データの送信装置、受信装置、および、送受信システムによれば、従来のＨＤＭＩ規格に親和性の高い形態であり、かつ、より消費電力を低減させるベースバンド映像音声データ送受信システムを提供することができる。
【図面の簡単な説明】
【００２７】
【図１】図１は、本発明の実施形態を示すものであり、送信装置の構成を示すブロック図である。
【図２】図２は、本発明の実施形態を示すものであり、受信装置の構成を示すブロック図である。
【図３】図３は、本発明の実施形態を示すものであり、送受信システムの構成を示すブロック図である。
【図４】図４は、間欠モードの情報が定義されたＶＳＤＢを含むＥＤＩＤの内容を説明する図である。
【図５】図５は、図１の送信装置の動作を説明するフローチャートである。
【図６】図６は、図２の受信装置の動作を説明するフローチャートである。
【図７】図７は、本発明の他の実施形態を示すものであり、送信装置の構成を示すブロック図である。
【図８】図８は、図７の送信装置の動作を説明するフローチャートである。
【図９】図９は、従来技術を示すものであり、ＨＤＭＩ規格の送受信を行う送受信システムの構成を示すブロック図である。
【図１０】図１０は、従来技術を示すものであり、ＴＭＤＳ方式の伝送路の構成を示す回路図である。
【発明を実施するための形態】
【００２８】
〔第１の実施形態〕
本発明の一実施の形態を図面を参照しながら以下に説明する。
【００２９】
なお、以下では特に注記しない限り、ＨＤＭＩ規格に適合した、送信装置および受信装置の概要を説明する。よって適宜ＨＤＭＩ規格（非特許文献１、非特許文献２）を参照して以下の文言を解釈することができる。
【００３０】
図３に、本実施形態に係る、ベースバンド映像データからなる映像信号の送受信システム１の構成を示す。
【００３１】
送受信システム１は、送信装置２および受信装置３を備えている。送信装置２としてはデジタルカメラ、ビデオカメラ、スマートフォーン、タブレット端末、ＤＶＤプレーヤなどが、また、受信装置３としてはテレビ受像器、モニタ、HDMIのリピーター、HDMI分配器などが該当する。
【００３２】
送信装置２はソース機器であり、マイクロコンピュータ２ａ、映像出力回路２ｂ、ＴＭＤＳ出力回路２ｃ、および、トランスミッタ２ｄを備えている。マイクロコンピュータ２ａは制御部を構成しており、映像出力回路２ｂ、ＴＭＤＳ出力回路２ｃ、および、トランスミッタ２ｄは送信部を構成している。受信装置３はシンク機器であり、情報記憶部（記憶部）３ａ、ＴＭＤＳ入力回路（受信部）３ｂ、フレームメモリ３ｃ、および、同期信号発生回路（同期信号発生部）３ｄを備えている。
【００３３】
図１に、送信装置２の詳細な構成を示す。
【００３４】
マイクロコンピュータ２ａは、図示しないプロセッサおよびレジスタなどの他に、ピクセルクロック発生回路２１を備えている。ピクセルクロック発生回路２１は、マイクロコンピュータ２ａの内部クロック発生回路が発生した内部クロックを用いて、基準とする映像仕様の解像度に合わせたレートのピクセルクロックを生成する。当該ピクセルクロックはＴＭＤＳクロックとして機能する。
【００３５】
マイクロコンピュータ２ａは、プロセッサの制御により、受信装置３からＥＤＩＤを読み取る。ＥＤＩＤには、任意数のフレームが間欠したタイミングで前記映像信号を受信する間欠受信が可能であるか否かを示す第１の情報ｐ１が含まれている。受信装置３が間欠受信を行うことが可能であると、マイクロコンピュータ２ａは、送信装置２が静止画像、動画の一時停止画像、動画のスロー再生画像などの、所定以上の複数フレームに亘って同じ映像を示す出力モードである場合に、今回の映像信号が有効であることを示すイネーブル信号ｅｎｂと、映像信号が更新されるまで次の映像信号を送信しない間欠伝送モードを実行することを示す第２の情報ｐ２とをＴＭＤＳ出力回路２ｃに出力する。
【００３６】
映像出力回路２ｂは、マイクロコンピュータ２ａによる制御に従って、メモリ上に映像データや音声データを展開する。これらのデータは、送信装置２が備える記録媒体から読み出された圧縮データがデコードにより展開されたものや、外部から入力されたデータである。
【００３７】
ＴＭＤＳ出力回路２ｃは、チャネルＣＨ０用データＤａ０、チャネルＣＨ１用データＤａ１、および、チャネルＣＨ２用データＤａ２を保持するメモリを備えている。これらの各チャネル用のメモリに、マイクロコンピュータ２ａによる制御に従って映像出力回路２ｂから出力されるデータが保持される。各チャネルのそれぞれにはＲ又はＧ又はＢ、あるいは、Ｙ又はＣｂ又はＣｒの映像データｄａ１の伝送が割り当てられている。各チャネル用のデータは、当該映像データｄａ１と、音声データｄａ２と、制御データｄａ３とを含んでいる。各チャネル用の映像データｄａ１は、受信装置３での表示駆動における表示期間に割り当てられたラスタスキャンデータである。各チャネルの音声データｄａ２および制御データｄａ３は、表示期間外の垂直ブランキング期間および水平ブランキング期間からなるブランキング期間に時間軸多重されたパケットデータである。
【００３８】
制御データｄａ３は、映像出力回路２ｂにおいて映像データまたは音声データの内容に応じて生成される。制御データｄａ３には、映像の同期に用いる同期信号、映像データや音声データの属性を示す属性データ、受信装置３の制御に用いられる制御信号などが含まれる。
【００３９】
属性データには受信装置３の制御に用いられる情報であるＩｎｆｏＦｒａｍｅというデータが含まれる。ＩｎｆｏＦｒａｍｅの中でも映像データ情報を用いて制御を行うために特化したＩｎｆｏＦｒａｍｅとしてＡＶＩ  Ｉｎｆｏｆｒａｍｅというものが存在する。ＡＶＩ  ＩｎｆｏＦｒａｍｅの内部に記述されるデータとしてＶＩＣが存在する。本実施形態では、ＶＩＣに表現される内容の一つに、間欠伝送モードを実行することを示す第２の情報が含まれる。制御データｄａ３を受信した受信装置３は、このＶＩＣに記述された情報に従って映像の表示を行う。
【００４０】
そして、ＴＭＤＳ出力回路２ｃは、マイクロコンピュータ２ａからイネーブル信号ｅｎｂおよび第２の情報ｐ２を受け取った場合に、ＶＩＣ内にイネーブル信号ｅｎｂおよび第２の情報ｐ２を記述したデータ（フラグ）を制御データｄａ３に付加する。
【００４１】
このようにして、例えば、チャネルＣＨ０用データＤａ０には、映像データｄａ１、音声データｄａ２、同期信号および属性データからなる制御データｄａ３が含まれ、後述のようにチャネルＣＨ０により伝送される。チャネルＣＨ１用データＤａ１には、映像データｄａ１、音声データｄａ２、制御信号および属性データからなる制御データｄａ３が含まれ、後述のようにチャネルＣＨ１により伝送される。チャネルＣＨ２用データＤａ２には、映像データｄａ１、音声データｄａ２、制御信号および属性データからなる制御データｄａ３が含まれ、後述のようにチャネルＣＨ２により伝送される。クロックチャネルＣＫ−ＣＨではＴＭＤＳクロックが伝送される。
【００４２】
ピクセルクロック発生回路２１から出力されたＴＭＤＳクロックのタイミングで、８ビットパラレルの映像データｄａ１、４ビットパラレルの音声データｄａ２、および、２ビットパラレルの制御データｄａ３がＴＭＤＳ出力回路２ｃに読み出される。ＴＭＤＳ出力回路２ｃは、チャネルＣＨ０用のＴＭＤＳエンコーダｅｎ０、チャネルＣＨ１用のＴＭＤＳエンコーダｅｎ１、および、チャネルＣＨ２用のＴＭＤＳエンコーダｅｎ２を備えている。チャネルＣＨ０用データＤａ０はＴＭＤＳエンコーダｅｎ０に入力され、チャネルＣＨ１用データＤａ１はＴＭＤＳエンコーダｅｎ１に入力され、チャネルＣＨ２用データＤａ２はＴＭＤＳエンコーダｅｎ２に入力される。
【００４３】
各エンコーダは、８ビット−１０ビット変換器ＢＴ１、４ビット−１０ビット変換器ＢＴ２、および、２ビット−１０ビット変換器ＢＴ３を備えている。映像データｄａ１は８ビット−１０ビット変換器ＢＴ１に入力されて１０ビットのデータに符号化される。音声データｄａ２は４ビット−１０ビット変換器ＢＴ２に入力されて１０ビットのデータに符号化される。制御データｄａ３は２ビット−１０ビット変換器ＢＴ３に入力されて１０ビットのデータに符号化される。
【００４４】
１０ビットに符号化された各データはトランスミッタ２ｄに出力される。トランスミッタ２ｄは、タイミング発生回路２３およびデータ選択／シリアル変換／出力バッファ２４を備えている。タイミング発生回路２３は、ピクセルクロック発生回路２１から出力されたＴＭＤＳクロックから、トランスミッタ２ｄがＴＭＤＳ伝送路に出力するデータのタイミング信号を生成する。
【００４５】
データ選択／シリアル変換／出力バッファ２４は、１０ビットのパラレルデータである映像データｄａ１、音声データｄａ２、および、制御データｄａ３を、ＴＭＤＳクロックのタイミングで選択して伝送タイミングの順に並べることによりシリアルデータに変換する。そして、データ選択／シリアル変換／出力バッファ２４は、生成したシリアルデータを前記タイミング信号によって１ビットずつ出力バッファからＴＭＤＳ伝送路に出力する。データ選択／シリアル変換／出力バッファ２４は、例えばシリアライザにより実現可能である。
【００４６】
以上のようにして、各データが、チャネルＣＨ０（ＤＡＴＡ０）、チャネルＣＨ１（ＤＡＴＡ１）、および、チャネルＣＨ２（ＤＡＴＡ２）により伝送される。クロックチャネルＣＫ−ＣＨでは１０ビットごとのタイミングを規定するＴＭＤＳクロックが伝送される。
【００４７】
そして、マイクロコンピュータ２ａは、間欠伝送モードを実行する場合には、イネーブル信号ｅｎｂおよび第２の情報ｐ２を付加した映像信号を送信した後に、映像信号が更新されるまで映像信号を送信しないように制御を行う。本実施形態では、ＴＭＤＳ出力回路２ｃおよびトランスミッタ２ｄによる少なくとも映像信号の送信動作を停止する。また、本実施形態では、ＴＭＤＳクロックの送信動作も停止させ、映像信号以外の音声データや制御データについてもこれに伴って送信動作を停止する。送信動作の停止には、例えば、マイクロコンピュータ２ａからデータ選択／シリアル変換／出力バッファ２４へ制御信号ｓ１を送出して、トランスミッタ２ｄの出力バッファの出力をハイインピーダンス状態にすることや、出力バッファの動作電源を遮断する方法などがある。
【００４８】
異なる静止画を出力する、動画の一次停止を解除する、動画のスロー再生を通常再生に戻す、などして、次に映像信号が更新されるときには再び送信動作が開始される。送信動作の再開後もさらに間欠伝送モードを実行するのであれば、前述と同様にしてイネーブル信号および第２の情報を映像信号に付加する。
【００４９】
図２に、受信装置３の詳細な構成を示す。
【００５０】
情報記憶部３ａはＥＤＩＤを記憶している。ＥＤＩＤには受信装置３がサポートするビデオフォーマット、機能、特性などの、受信装置３が処理可能な映像仕様に関する情報が記述されている。本実施形態では、ＥＤＩＤのＶＳＤＢ（Ｖｅｎｄｏｒ  Ｓｐｅｃｉｆｉｃａｔｉｏｎ  Ｄａｔａ  Ｂｌｏｃｋ）に、新たに、受信装置３が任意数のフレームが間欠したタイミングで映像信号を受信する間欠受信が可能であるか否かを示す第１の情報ｐ１を記述する。記述された第１の情報ｐ１はＤＤＣを介して送信装置２のマイクロコンピュータ２ａにより読み出される。
【００５１】
ＴＭＤＳ入力回路３ｂは、データ分離／パラレル変換部３１およびＴＭＤＳデコーダ３２、および、受信メモリ３３を備えている。データ分離／パラレル変換部３１は、ＴＭＤＳ伝送路を介してデータを図示しないレシーバにより受信し、受信した１０ビットの各シリアルデータどうしをクロックチャネルから受信したＴＭＤＳクロックを用いて分離し、さらに内部クロックを用いてパラレルデータに変換する。データ分離／パラレル変換部３１は、ＴＭＤＳクロックをＴＭＤＳデコーダ３２および同期信号発生回路３ｄに出力する。データ分離／パラレル変換部３１は、例えばデシリアライザにより実現可能である。
【００５２】
ＴＭＤＳデコーダ３２は、１０ビットのパラレルデータを８ビットのパラレルデータにデコードする。ＴＭＤＳデコーダ３２は、チャネルＣＨ０用のＴＭＤＳデコーダｄｅ０、チャネルＣＨ１用のＴＭＤＳデコーダｄｅ１、および、チャネルＣＨ２用のＴＭＤＳデコーダｄｅ２を備えている。チャネルＣＨ０用データはＴＭＤＳデコーダｄｅ０に入力され、チャネルＣＨ１用データはＴＭＤＳデコーダｄｅ１に入力され、チャネルＣＨ２用データはＴＭＤＳデコーダｄｅ２に入力される。
【００５３】
各デコーダは、１０ビット−８ビット変換器ＢＴ１’、１０ビット−４ビット変換器ＢＴ２’、および、１０ビット−２ビット変換器ＢＴ３’を備えている。チャネルＣＨ０用データは１０ビット−８ビット変換器ＢＴ１’に入力されて８ビットの映像データｄａ１に復号される。チャネルＣＨ１用データは１０ビット−４ビット変換器ＢＴ２’に入力されて４ビットの音声データｄａ２に復号される。チャネルＣＨ２用データは１０ビット−２ビット変換器ＢＴ３’に入力されて２ビットの制御データｄａ３に復号される。こうしてデータＤａ０、Ｄａ１、Ｄａ２が復号される。ＴＭＤＳデコーダ３２は、受信した映像データを属性データまたは制御信号に基づいて、適宜加工する場合もある。
【００５４】
８ビットに復号されたデータＤａ０、Ｄａ１、Ｄａ２は受信メモリ３３に保持される。同期信号発生回路３ｄは、データ分離／パラレル変換部３１から出力されたＴＭＤＳクロックからピクセルクロックを生成する。同期信号発生回路３ｄは、この他に、制御データｄａ３が保有している、送信装置２から受信した同期信号および制御信号の情報から、垂直同期信号および水平同期信号を含む、表示駆動に用いる各種のタイミング信号を生成する。
【００５５】
同期信号発生回路３ｄは、生成したピクセルクロックのタイミング（第１のタイミング）で、受信メモリ３３から１フレーム分の映像データを読み出してフレームメモリ３ｃに書き込む。フレームメモリ３ｃは、データＤａ０の映像データｄａ１が書き込まれるフレームメモリｍ０、データＤａ１の映像データｄａ１が書き込まれるフレームメモリｍ１、および、データＤａ２の映像データｄａ１が書き込まれるフレームメモリｍ２を備えている。
【００５６】
受信した映像信号のブランキング期間に間欠伝送モードが実行されていることを示すイネーブル信号ｅｎｂおよび第２の情報ｐ２が制御データｄａ３に付加されている場合には、制御データｄａ３から読み出される第２の情報ｐ２に基づいて、間欠受信していることを示す間欠モードの情報ｑ２が受信メモリ３３から同期信号発生回路３ｄおよびフレームメモリ３ｃに供給される。これにより、受信メモリ３３に更新されたフレームのデータが保持されるまでは、フレームメモリ３ｃに同じ映像データｄａ１が保持され、同期信号発生回路３ｄによって生成されたピクセルクロックのタイミング（第２のタイミング）で同じ映像データｄａ１がＮ回繰り返し読み出されて表示装置への出画に用いられる。第１のタイミングは、ピクセルクロックのうちの、フレームメモリ３ｃに同じ映像データｄａ１が保持される間を除く期間のタイミングである点で、第２のタイミングとは異なっている。
【００５７】
受信メモリ３３に保持されたデータＤａ０〜Ｄａ２の音声データはｄａ２は、音声出力に用いられる。
【００５８】
上記の受信装置３には、情報記憶部３ａがＥＤＩＤに記述する項目が追加されただけの構成であることから、従来の受信装置の構成をほぼそのまま利用することができるという利点がある。
【００５９】
（消費電力低減の為の構成について）
以下に、図１ないし図３の構成により、従来のＨＤＭＩ規格に情報を加えることで、消費電力低減を実現できることの説明を行う。
【００６０】
ＨＤＭＩ規格に適合した送信装置では、ＶＩＣを用いてフレームレートを受信装置へ送信している。ここで、静止画などの、所定以上の複数フレームに亘る同じ映像を出力する場合には、従来ならば同じ映像を当該フレームレートで表示し続けることになる。しかし、本実施の形態においては、受信装置３が間欠受信を実行することが可能である場合に、送信装置２は間欠伝送モードを実行して、イネーブル信号および第２の情報を付加した映像信号を送信した後に、映像信号が更新されるまで映像信号を送信しない。従って、送受信を実際に行う物理インターフェースの消費電力が低減される。
【００６１】
（ＥＤＩＤへの新規データ記載について）
図４に、情報記憶部３ａがＥＤＩＤとして新たに間欠受信の可否を示す第１の情報ｐ１を記述する場合の具体例を示す。図４は、ＶＳＤＢのデータ構造を示す。１バイトの大きさからなるバイトブロックが順に並び、先頭ブロック側にヘッダ情報や記憶アドレスなどが定義されている。下位のｎブロック以降に示されるバイトブロックには、Ｒｓｖｄ（０）で表される予約ビット領域が存在している。本実施形態では、この予約ビット領域中に、間欠受信が可能であることを示す「間欠モード」を例えば１ビット分を用いて定義する。
【００６２】
このようにＥＤＩＤ中に第１の情報ｐ１を記述して送信装置２に読取り可能とすることにより、送信装置２が受信装置３の受信能力を超えて間欠伝送モードを実行してしまうことが防止される。
【００６３】
図５に、送信装置２の動作を説明するフローチャートを示す。これらの動作は制御プログラムあるいはハードウェア動作のいずれでも実現可能である。
【００６４】
マイクロコンピュータ２ａは、電源立ち上げ時やケーブルが接続された時等に受信装置３中にある情報記憶部３ａから、間欠モードで受信可能かどうかを読み取る（ステップＳ５０１）。読み取った結果、間欠モードでの受信ができない場合は従来のＨＤＭＩ伝送方式で伝送すべきであると判断する（Ｓ５１０）。映像出力回路２ｂの出力が、静止画であるあるいはフレームレートが低い等の間欠伝送が可能なモードであるときに、本実施形態の間欠伝送モードでの伝送が開始される（Ｓ５０２）。
【００６５】
映像出力回路２ｂのビデオ出力が映像更新（イネーブル）されたかどうかをマイクロコンピュータ２ａが判断する（Ｓ５０３）。映像更新（イネーブル）であった場合は、マイクロコンピュータ２ａによる制御に従い、映像データと、クロックと、イネーブル信号ｅｎｂと、間欠伝送モードであることを示す第２の情報ｐ２とがブランキング期間のパケット（ＩｎｆｏＦｒａｍｅ）に出力される（Ｓ５０４）。映像更新（イネーブル）でなかった場合は、ＴＭＤＳ出力回路２ｃへのクロック供給が停止されると共に、制御信号ｓ１によりトランスミッタ２ｄの出力バッファ部がハイインピーダンス制御または電源遮断される（Ｓ５０５）。映像更新でなかった場合は、出力バッファ部のデータラインのみがハイインピーダンスとされるようにしてもよい。
【００６６】
次に図６に、受信装置３の動作を説明するフローチャートを示す。これらの動作は制御あるいはハードウェア動作のいずれでも実現可能である。
【００６７】
ＴＭＤＳ入力回路３ｂは、ＴＭＤＳ伝送の入力バッファ部がアクティブかどうかを判断する（Ｓ６０１）。入力バッファ部がアクティブであった場合には、伝送される映像信号のブランキング期間のパケット（ＩｎｆｏＦｒａｍｅ）に間欠伝送モードであることを示す第２の情報ｐ２が重畳されているかどうかの信号がＴＭＤＳ入力回路３ｂによって読み取られる（Ｓ６０２）。間欠伝送モードでなかった場合には従来のＨＤＭＩ受信が行われる（Ｓ６１０）。
【００６８】
ＴＭＤＳ入力回路３ｂは、間欠伝送モードのフラグを検出したら、送信装置２からイネーブル信号ｅｎｂが伝送されているかどうかを読み取る（Ｓ６０３）。映像更新（イネーブル）であった場合、ＴＭＤＳ入力回路３ｂは受信メモリ３３の領域ｎ＋１にビデオ映像を書き込む（Ｓ６０４）。このとき映像信号のフレームメモリ３ｃへの書込みにおいては、前回の映像更新（イネーブル）時に記憶された受信メモリ３３の領域ｎのビデオデータが読み出されている（Ｓ６０５）。
【００６９】
受信メモリ３３への映像信号の書き込みが完了すると、受信メモリ３３の領域ｎ＋１から映像信号を表示するための同期信号発生回路３ｄで発生された同期信号によって、フレームメモリ３ｃから映像信号が読み出されて表示される。
【００７０】
このように受信メモリ３３の書き込みが完了した後に読み出し領域を変更する事により、映像信号の追い越しや追い越されによる腹切りなどの現象が抑えられる。
【００７１】
本実施形態の構成は、図１に記載の情報記憶部３ａがＣＥＣ（Ｃｏｎｓｕｍｅｒ  Ｅｌｅｃｔｒｏｎｉｃｓ  Ｃｏｎｔｒｏｌ）による通信で実施されるものも含む。
【００７２】
本実施の形態は、送信装置に搭載のバッテリーの容量が少なくなった事を判別して移行する場合にも適用可能である。また送信装置は、搭載のバッテリーの残量が少なくなった場合、動画を間引いて、本発明の間欠動作モードに入ることも可能である。このとき、送信装置はＯＳＤ等の表示手段でユーザーに本発明の間欠動作モード（省電力モード）に入る事を通知してもよい。また、ユーザーに省電力モードに入るかどうかを選択する画面を表示してもよい。
【００７３】
〔第２の実施形態〕
本発明の他の実施の形態を図面を参照しながら以下に説明する。
【００７４】
本実施形態に係る送受信システムでは、図３の送受信システム１において、送信装置を図７の送信装置４に置き換えた構成である。
【００７５】
図７の送信装置４は、間欠伝送モードを実行するときに、マイクロコンピュータ２ａが制御信号ｓ２をＴＭＤＳ出力回路２ｃに出力して、映像信号を伝送しない代わりに無効データを送信することが図１の送信装置２と異なっている。
【００７６】
無効データは、間欠伝送モードの間に、データの変化点が最少になるように作成したパタン（例えば１０ビット分を「１１００１１００１１」で表したパタン）からなるデータであって、ＩｎｆｏＦｒａｍｅ中にｉｎｖａｌｉｄフラグＦＬ＝１を付加されたデータである。ＴＭＤＳクロックは通常通りに伝送される。無効データで構成されるフレームはダミーフレームであり、水平／垂直タイミングは通常のＴＭＤＳ伝送と同様に規定されるが、表示データ部はハーフクロックパタンなどの消費電力が削減されるコーディングとされる。
【００７７】
図８に、送信装置４の動作を説明するフローチャートを示す。これらの動作は制御プログラムあるいはハードウェア動作のいずれでも実現可能である。
【００７８】
マイクロコンピュータ２ａは、電源立ち上げ時やケーブルが接続された時等に受信装置３の中にある情報記憶部３ａから、受信装置３が間欠モードで受信可能かどうかを読み取る（Ｓ８０１）。読取りを行った結果、受信装置３が間欠モードで受信できない場合は、マイクロコンピュータ２ａは、従来の実施例に示すＨＤＭＩ伝送方式での伝送が可能であると判断する（Ｓ８１０）。映像出力回路２ｂの出力が、静止画やフレームレートが低い等の間欠伝送が可能なモードであるときに、本実施形態の間欠伝送モードが開始される（Ｓ８０２）。
【００７９】
映像出力回路２ｂの出力が映像更新（イネーブル）されたかどうかをマイクロコンピュータ２ａが判断する（Ｓ８０３）。映像更新（イネーブル）であった場合は、マイクロコンピュータ２ａによる制御に従い、映像データと、クロックと、イネーブル信号ｅｎｂと、間欠伝送モードであることを示す第２の情報ｐ２とがブランキング期間のパケット（ＩｎｆｏＦｒａｍｅ）に出力される（Ｓ８０４）。映像更新（イネーブル）でなかった場合は、データの変化点が最少になるパタン（ＴＭＤＳ方式では、「１１００１１００１１」のデータ列）が出力される（Ｓ８０５）。
【００８０】
なお、受信装置３の動作は図６と同じであるのでその説明を省略する。
【００８１】
（クロックチャンネルの継続について）
本実施の形態では、間欠伝送モードのときに、クロックチャネルで伝送するクロックを本来の映像信号のクロックで伝送する。すなわち、例えば１０８０ｐ／６０Ｈｚの映像であれば映像信号クロックは１４８．５ＭＨｚがクロックスピードであるが、間欠伝送モードでもこのクロックを伝送し続けるということである。このようにすると、クロックの連続性が保てなくなることにより生じ得る不具合を抑止することが可能になる。例えばＨＤＣＰの再認証などの手間がなくなる。制御データｄａ３に第２の情報ｐ２を含ませたので、受信装置３側で間欠受信を行うべきことは認識可能であることから、クロックの伝送レートが変更されないことは受信障害とはならない。
【００８２】
以上、各実施形態について説明した。
【００８３】
なお、ＤＰ（ＤｉｓｐｌａｙＰｏｒｔ：ディスプレイポート）において行われる非圧縮映像データのメインリンクによる伝送において、ブランキング期間に同様のデータを挿入してもよい。ＤＰでは、シンクからソースへのＥＤＩＤの読み込みはＡＵＸチャネルを通して行われる。非同期伝送であるのでクロックチャネルは存在しない。また、ＤＶＩ（Ｄｉｇｉｔａｌ  Ｖｉｓｕａｌ  Ｉｎｔｅｒｆａｃｅ）において行われる非圧縮映像データのＴＭＤＳ伝送において、ブランキング期間に同様のデータを挿入してもよい。ＤＶＩでは、シンクからソースへのＥＤＩＤの読み込みはＤＤＣ（Ｄｉｓｐｌａｙ  Ｄａｔａ  Ｃｈａｎｎｅｌ）を通して行われる。規格外の非圧縮データ伝送であってもよいし、無線による非圧縮データ伝送であってもよい。
【００８４】
また、送信装置と受信装置との通信の間にリピータが介在してもよい。
【産業上の利用可能性】
【００８５】
本発明は、従来のＨＤＭＩ規格に適合させる形で、静止画を伝送する伝送方式として特に有用である。
【符号の説明】
【００８６】
１        送受信システム
２、４    送信装置
２ａ      マイクロコンピュータ
３        受信装置
３ａ      情報記憶部
３ｃ      フレームメモリ
３ｄ      同期信号発生回路
ｅｎｂ    イネーブル信号
ｐ１      第１の情報
ｐ２      第２の情報
【図１】
0006008141.tif 000002
【図２】
0006008141.tif 000003
【図３】
0006008141.tif 000004
【図４】
0006008141.tif 000005
【図５】
0006008141.tif 000006
【図６】
0006008141.tif 000007
【図７】
0006008141.tif 000008
【図８】
0006008141.tif 000009
【図９】
0006008141.tif 000010
【図１０】
0006008141.tif 000011